(57)【特許請求の範囲】
【請求項１】
デバイスから通知されてくるデバイス情報を情報処理装置へ送信する処理をするデバイス情報処理装置であって、
デバイスの稼動状態を示す、変化するデバイス情報であるダイナミック情報及び当該ダイナミック情報より変更される頻度が低い、当該デバイスの構成を示すデバイス情報であるセミスタティック情報及び前記デバイスに固有の変更されないデバイス情報であるスタティック情報とを発行するデバイスから、当該デバイスにおける前記デバイス情報の変更に応じてそれぞれ通知されてくる前記ダイナミック情報及び前記セミスタティック情報、前記デバイスの電源投入に応じて通知されてくる前記スタティック情報を登録又は更新する登録更新手段と、
前記セミスタティック情報及び前記ダイナミック情報を前記情報処理装置に定期的に通知し、かつ前記情報処理装置からの要求に応じて前記スタティック情報を通知する通知手段とを有し、
前記セミスタティック情報を通知する間隔は、前記ダイナミック情報を通知する間隔より長いことを特徴とするデバイス情報処理装置。
【請求項２】
前記セミスタティック情報は、稀に変更される情報であり、前記ダイナミック情報は、頻繁に変更される情報であることを特徴とする請求項１に記載のデバイス情報処理装置。
【請求項３】
前記登録更新手段により登録更新されるタイミングを変更するタイミング変更手段を有することを特徴とする請求項１又は２記載のデバイス情報処理装置。
【請求項４】
デバイスから通知されてくるデバイス情報を情報処理装置へ送信する処理をするデバイス情報処理装置の制御方法であって、
デバイスの稼動状態を示す、変化するデバイス情報であるダイナミック情報及び当該ダイナミック情報より変更される頻度が低い、当該デバイスの構成を示すデバイス情報であるセミスタティック情報及び前記デバイスに固有の変更されないデバイス情報であるスタティック情報とを発行するデバイスから、当該デバイスにおける前記デバイス情報の変更に応じてそれぞれ通知されてくる前記ダイナミック情報及び前記セミスタティック情報、前記デバイスの電源投入に応じて通知されてくる前記スタティック情報を登録又は更新する登録更新ステップと、
前記セミスタティック情報及び前記ダイナミック情報を前記情報処理装置に定期的に通知し、かつ前記情報処理装置からの要求に応じて前記スタティック情報を通知する通知ステップとを有し、
前記セミスタティック情報を通知する間隔は、前記ダイナミック情報を通知する間隔より長いことを特徴とするデバイス情報処理装置の制御方法。
【請求項５】
前記セミスタティック情報は、稀に変更される情報であり、前記ダイナミック情報は、頻繁に変更される情報であることを特徴とする請求項４に記載のデバイス情報処理装置の制御方法。
【請求項６】
前記登録更新ステップにて登録更新されるタイミングを変更するタイミング変更ステップを有することを特徴とする請求項４又は５記載のデバイス情報処理装置の制御方法。
【請求項７】
デバイスが発行するデバイス情報として、変更される可能性があるデバイス情報であるダイナミック情報及び当該ダイナミック情報より変更される頻度が低いデバイス情報であるセミスタティック情報及び前記デバイスに固有の変更されないデバイス情報であるスタティック情報を取得する情報処理装置において、
特定の周期で前記ダイナミック情報及び前記セミスタティック情報を検索する検索要求と、ユーザからの指示に応じて前記スタティック情報を検索する検索要求を発行する発行手段と、
前記発行手段により前記検索要求を発行する周期が前記ダイナミック情報よりも前記セミスタティック情報が長くなるよう設定する設定手段とを備えたことを特徴とする情報処理装置。
【請求項８】
前記設定手段は、前記情報処理装置に表示される設定画面を介した入力に応じて設定を行い、
前記発行手段は、前記デバイス情報が登録されたサーバ装置から前記デバイス情報を前記設定手段が設定したタイミングで発行することを特徴とする請求項７に記載の情報処理装置。
【請求項９】
デバイスが発行するデバイス情報として、変更される可能性があるデバイス情報であるダイナミック情報及び当該ダイナミック情報より変更される頻度が低いデバイス情報であるセミスタティック情報及び前記デバイスに固有の変更されないデバイス情報であるスタティック情報を取得する情報処理装置の制御方法において、
特定の周期で前記ダイナミック情報及び前記セミスタティック情報を検索する検索要求と、ユーザからの指示に応じて前記スタティック情報を検索する検索要求を発行する発行ステップと、
前記発行ステップにおいて前記検索要求を発行する周期が前記ダイナミック情報よりも前記セミスタティック情報が長くなるよう設定する設定ステップとを備えたことを特徴とする情報処理装置の制御方法。
【請求項１０】
前記設定ステップは、前記情報処理装置に表示される設定画面を介した入力に応じて設定を行い、
前記発行ステップは、前記デバイス情報が登録されたサーバ装置から前記デバイス情報を前記設定ステップにおいて設定したタイミングで発行することを特徴とする請求項９に記載の情報処理装置の制御方法。
【請求項１１】
請求項４乃至６，９，１０のいずれかに記載の制御方法をコンピュータにより実行するためのプログラムを記憶したことを特徴とする記憶媒体。
【発明の詳細な説明】
【０００１】
【発明の属する技術分野】
本発明は、ネットワークシステムにおけるデバイス情報を処理するデバイス情報処理装置及びその制御方法並びに情報処理装置及びその制御方法並びに記憶媒体に関する。
【０００２】
【従来の技術】
従来、ディレクトリサーバと種々のデバイスと種々のコンピュータとが接続され且つ前記ディレクトリサーバにデバイス情報が登録されているネットワークシステムにおいては、デバイスが自身のデバイス情報の全てをディレクトリサーバに対して登録／更新処理を行っていた。
【０００３】
また、前記ネットワークシステムにおいては、コンピュータのアプリケーションは、ディレクトリサーバに登録されているデバイス情報のうち、参照しようとするデバイスのデバイス情報の全てを一様に同一間隔でディレクトリサーバに対して参照を行っていた。
【０００４】
【発明が解決しようとする課題】
しかしながら、上述した従来例にあっては、デバイスは自身の全てのデバイス情報をディレクトリサーバに対して更新処理を行うため、更新する必要のないデバイス情報もディレクトリサーバへ送付しており、ネットワーク上のトラフィック負荷という観点から見れば無駄があるという問題点があった。
【０００５】
また、コンピュータのアプリケーションは、参照しようとするデバイスのデバイス情報の全てを一様に同一間隔でモニタを行うので、変更されない、または稀にしか変更されないデバイス情報も全てパーソナルコンピュータに送付しており、ネットワーク上のトラフィック負荷という観点から見れば無駄があるという問題点があった。
【０００６】
本発明は上述した従来技術の有するこのような問題点に鑑みてなされたものであり、その目的とするところは、ネットワーク上のトラフィック負荷を軽減することができるデバイス情報処理装置及びその制御方法並びに情報処理装置及びその制御方法並びに記憶媒体を提供することにある。
【０００８】
【課題を解決するための手段】
上記目的を達成するために本発明のデバイス情報処理装置は、デバイスから通知されてくるデバイス情報を情報処理装置へ送信する処理をするデバイス情報処理装置であって、デバイスの稼動状態を示す、変化するデバイス情報であるダイナミック情報及び当該ダイナミック情報より変更される頻度が低い、当該デバイスの構成を示すデバイス情報であるセミスタティック情報及び前記デバイスに固有の変更されないデバイス情報であるスタティック情報とを発行するデバイスから、当該デバイスにおける前記デバイス情報の変更に応じてそれぞれ通知されてくる前記ダイナミック情報及び前記セミスタティック情報、前記デバイスの電源投入に応じて通知されてくる前記スタティック情報を登録又は更新する登録更新手段と、前記セミスタティック情報及び前記ダイナミック情報を前記情報処理装置に定期的に通知し、かつ前記情報処理装置からの要求に応じて前記スタティック情報を通知する通知手段とを有し、前記セミスタティック情報を通知する間隔は、前記ダイナミック情報を通知する間隔より長いことを特徴とする。
【００１０】
また、上記目的を達成するために本発明のデバイス情報処理装置の制御方法は、デバイスから通知されてくるデバイス情報を情報処理装置へ送信する処理をするデバイス情報処理装置の制御方法であって、デバイスの稼動状態を示す、変化するデバイス情報であるダイナミック情報及び当該ダイナミック情報より変更される頻度が低い、当該デバイスの構成を示すデバイス情報であるセミスタティック情報及び前記デバイスに固有の変更されないデバイス情報であるスタティック情報とを発行するデバイスから、当該デバイスにおける前記デバイス情報の変更に応じてそれぞれ通知されてくる前記ダイナミック情報及び前記セミスタティック情報、前記デバイスの電源投入に応じて通知されてくる前記スタティック情報を登録又は更新する登録更新ステップと、前記セミスタティック情報及び前記ダイナミック情報を前記情報処理装置に定期的に通知し、かつ前記情報処理装置からの要求に応じて前記スタティック情報を通知する通知ステップとを有し、前記セミスタティック情報を通知する間隔は、前記ダイナミック情報を通知する間隔より長いことを特徴とする。
【００１２】
また、上記目的を達成するために本発明の情報処理装置は、デバイスが発行するデバイス情報として、変更される可能性があるデバイス情報であるダイナミック情報及び当該ダイナミック情報より変更される頻度が低いデバイス情報であるセミスタティック情報及び前記デバイスに固有の変更されないデバイス情報であるスタティック情報を取得する情報処理装置において、特定の周期で前記ダイナミック情報及び前記セミスタティック情報を検索する検索要求と、ユーザからの指示に応じて前記スタティック情報を検索する検索要求を発行する発行手段と、前記発行手段により前記検索要求を発行する周期が前記ダイナミック情報よりも前記セミスタティック情報が長くなるよう設定する設定手段とを備えたことを特徴とする。
【００１３】
また、上記目的を達成するために本発明の情報処理装置の制御方法は、デバイスが発行するデバイス情報として、変更される可能性があるデバイス情報であるダイナミック情報及び当該ダイナミック情報より変更される頻度が低いデバイス情報であるセミスタティック情報及び前記デバイスに固有の変更されないデバイス情報であるスタティック情報を取得する情報処理装置の制御方法において、特定の周期で前記ダイナミック情報及び前記セミスタティック情報を検索する検索要求と、ユーザからの指示に応じて前記スタティック情報を検索する検索要求を発行する発行ステップと、前記発行ステップにおいて前記検索要求を発行する周期が前記ダイナミック情報よりも前記セミスタティック情報が長くなるよう設定する設定ステップとを備えたことを特徴とする。
【００１６】
また、上記目的を達成するために本発明の記憶媒体は、本発明の制御方法をコンピュータにより実行するためのプログラムを記憶したことを特徴とする。
【００３５】
【発明の実施の形態】
まず、本発明の概要を説明する。
【００３６】
本発明によれば、ディレクトリサーバと種々のデバイスと種々のコンピュータとが接続され、前記ディレクトリサーバにデバイス情報が登録されているネットワークシステムにおいて、そのデバイス情報の登録／更新／参照処理を行う場合、以下の処理を行う。
（１）ディレクトリサーバへ登録するデバイス情報を、次のように分類する
・スタティック情報（変更しない情報）：デバイス構成情報
・セミスタティック情報（稀に変更する情報）：デバイスオプション情報
・ダイナミック情報（頻繁に変更する情報）：デバイスステータス情報
（２）ディレクトリサーバには、ＳＬＰ（Ｓｅｒｖｉｃｅ  Ｌｏｃａｔｉｏｎ  Ｐｒｏｔｏｃｏｌ）ディレクトリエージェントが存在し、ネットワーク上に接続された各デバイス情報の登録／更新及び参照処理を行う。
（３）ネットワークデバイスには、ＳＬＰサービスエージェントが存在し、自身の各デバイス情報を監視し、ディレクトリサーバ上の各デバイス情報を以下のタイミングで更新する。
【００３７】
・電源投入時には、スタティック情報／セミスタティック情報／ダイナミック情報をディレクトリサーバへ登録する。
【００３８】
・その後の定常時では、セミスタティック情報／ダイナミック情報を設定されたタイミングでディレクトリサーバへ登録／更新する。
【００３９】
・デバイス情報の登録／更新タイミングは、それぞれユーザにより設定／変更される。
（４）パーソナルコンピュータ上のアプリケーションには、ＳＬＰユーザエージェントが存在し、次の処理を行う。
【００４０】
・ディレクトリサーバへの情報検索を行う。
【００４１】
・スタティック情報／セミスタティック情報／ダイナミック情報に対してそれぞれ適切な間隔で参照を行う。
【００４２】
・前記参照間隔は、スタティック情報／セミスタティック情報／ダイナミック情報毎にそれぞれユーザにより設定される。
【００４３】
上述したような処理により、次のような作用が現れる。
（１）デバイス情報をスタティック情報／セミスタティック情報／ダイナミック情報に分け、スタティック情報は電源投入時にのみ登録して定常時にも変更のあるセミスタティック情報／ダイナミック情報と一緒に登録／更新しないようにすることにより、定常時にスタティック情報がデバイスからディレクトリサーバへ向けてネットワーク上へ送出されないため、ネットワーク上のトラフィック負荷が軽減される。
（２）スタティック情報以外のデバイス情報を、稀に変更のあるセミスタティック情報と頻繁に変更のあるダイナミック情報とに分け、セミスタティック情報が頻繁に変更のあるダイナミック情報と一緒に登録／更新しないようにすることにより、セミスタティック情報が頻繁にデバイスからディレクトリサーバへ向けてネットワーク上へ送出されることがなくなるため、ネットワーク上のトラフィック負荷が軽減される。
（３）スタティック情報／セミスタティック情報／ダイナミック情報の登録のタイミングをユーザによってそれぞれ設定可能であり、前記（１）と（２）により各々個別にデバイス情報の登録／更新が行えるため、ネットワーク上のトラフィック負荷を抑えたまま適切なタイミングでデバイス情報の登録／更新を行うことができる。
（４）パーソナルコンピュータ上のアプリケーションからディレクトリサーバに登録されているデバイスに関する各デバイス情報の参照は、スタティック情報／セミスタティック情報／ダイナミック情報の３つそれぞれに対して参照間隔を適切に設定することにより、全ての前記デバイス情報を同時に参照する必要がなくなるため、ディレクトリサーバからパーソナルコンピュータへ向けてのネットワーク上のトラフィック負荷が軽減される。
【００４４】
以下、本発明の一実施の形態を図面に基づき説明する。
図１は、本実施の形態に係るデバイス情報処理装置であるデバイス情報登録システムが動作可能なネットワークシステムの構成を示す図である。同図において、１０１はカラープリンタ、１０２はＭＦＰ（Ｍｕｌｔｉ  Ｆｕｎｃｔｉｏｎ  Ｐｅｒｉｐｈｅｒａｌ：ネットワークプリンタとしても使用可能なコピー機）、１０３及び１０４はモノクロプリンタ、１０５はネットワーク接続されたスキャナであり、それぞれＳＬＰサービスエージェントのプログラムが実行可能なデバイスである。１１１はデスクトップ型のパーソナルコンピュータ（以下、デスクトップ型ＰＣと記述する）、１１２はディレクトリサーバ機能を有するデスクトップ型のパーソナルコンピュータ（以下、ディレクトリサーバＰＣまたはディレクトリサーバと記述する）、１１３はノート型のパーソナルコンピュータ（以下、ノート型ＰＣと記述する）、１２０はファイアウォール（Ｆｉｒｅ  Ｗａｌｌ）であり、これらのデバイスは全てネットワーク対応デバイスである。
【００４５】
デスクトップ型ＰＣ１１１とノート型ＰＣ１１３は、本実施の形態のＳＬＰユーザエージェントのプログラムが実行可能なデバイスであり、後述するようにＳＬＰディレクトリエージェントに対してデバイス情報を問い合わせる。また、ディレクトリサーバ１１２は、本実施の形態のＳＬＰディレクトリエージェントのプログラムが実行可能なデバイスであり、後述するようにデバイス１０１から１０５に関する情報が格納されており、デスクトップ型ＰＣ１１１或いはノート型ＰＣ１１３からのユーザ情報検索の問い合わせを受け付け、その結果を返す。
【００４６】
これらのデバイスは、ＬＡＮ（ローカルエリアネットワーク）等のネットワーク１００を介して接続され、それらのデバイス情報は各デバイスのエージェント機能により、ディレクトリサーバＰＣ１１２に登録されている。また、それぞれのデバイスは、ネットワーク１００を介してデータの送受信が可能であり、各種サービスを提供している。
【００４７】
これらのデバイスのうち、カラープリンタ１０１、ＭＦＰ１０２、モノクロプリンタ１０３、デスクトップ型ＰＣ１１１、ディレクトリサーバＰＣ１１２及びファイアウォール１２０は２階（２Ｆ）に、モノクロプリンタ１０４及びスキャナ１０５は１階（１Ｆ）にそれぞれ設置されている。ノート型ＰＣ１１３は、現在は１階からネットワーク１００に接続しているが、必要に応じて取り外されることもある。
【００４８】
また、これらのデバイスを相互に接続するネットワーク１００は、ファイアウォール１２０を介してインターネット（Ｉｎｔｅｒｎｅｔ）１３０に接続され、このインターネット１３０を介して他のネットワーク１４０とも接続されている。
【００４９】
図２は、一般的なパーソナルコンピュータの内部構成を示すブロック図である。同図において、２００はＰＣ（パーソナルコンピュータ）であり、図１におけるデスクトップ型ＰＣ１１１、ディレクトリサーバＰＣ１１２及びノート型ＰＣ１１３と同等である。ＰＣ２００は、ＳＬＰユーザエージェントソフトウェア（以下、デバイス上に実装されるＳＬＰサービスエージェントソフトウェアと合わせて、これらをＳＬＰエージェントソフトウェアと記述する）が稼動するデバイスである。
【００５０】
ＰＣ２００は、ＣＰＵ（中央処理装置）２０１を備えている。このＣＰＵ２０１は、ＲＯＭ（リードオンリーメモリ）２０２またはＨＤ（ハードディスク）２１１に記憶された、或いはフロッピーディスクドライブ（ＦＤ）２１２から供給されるＳＬＰエージェントソフトウェアを実行し、シテムバス２０４に接続される各デバイスを総括的に制御する。
【００５１】
２０３はＲＡＭ（ランダムアクセスメモリ）で、ＣＰＵ２０１の主メモリ、ワークエリアとして機能する。２０５はキーボードコントローラ（ＫＢＣ）で、キーボード（ＫＢ）２０９や不図示のポインティングデバイス等からの指示入力を制御する。２０６はＣＲＴ（陰極線管）コントローラ（ＣＲＴＣ）で、ＣＲＴディスプレイ（ＣＲＴ）２１０の表示を制御する。２０７はディスクコントローラ（ＤＫＣ）で、ブートプログラム、種々のアプリケーション、編集ファイル、ユーザファイル及びネットワーク管理プログラム等を記憶するＨＤ（ハードディスク）２１１及びフロッピーディスクドライブ（ＦＤ）２１２とのアクセスを制御する。２０８はネットワークインタフェースカード（ＮＩＣ）で、ＬＡＮ（ローカルエリアネットワーク）２２０を介してネットワークプリンタ、他のネットワーク機器或いは他のＰＣ（パーソナルコンピュータ）と双方向のデータのやり取りを行う。
【００５２】
尚、本実施の形態においては、ＬＡＮ２２０は、図１におけるネットワーク１００と同じものである。
【００５３】
図３は、本実施の形態に係るデバイス情報処理装置であるデバイス情報検索システムにおいて、ＳＬＰサービスエージェントソフトウェアが稼動するデバイスの内部構成を示すブロック図である。同図において、３００はデバイスであり、図１におけるカラープリンタ１０１、ＭＦＰ１０２、モノクロプリンタ１０３，１０４及びスキャナ１０５と同等である。デバイス３００は、ＲＯＭ（リードオンリーメモリ）３０２若しくはハードディスク（ＨＤ）３１１に記憶された、或いはフロッピーディスクドライブ（ＦＤ）３１２より供給されるＳＬＰエージェントソフトウェアを実行するＣＰＵ（中央処理装置）３０１を備え、システムバス３０４に接続される各機器を総括的に制御する。
【００５４】
３０３はＲＡＭ（ランダムアクセスメモリ）で、ＣＰＵ３０１の主メモリ、ワークエリア等として機能する。３０５はユーザインタフェースコントローラ（ＵＩＣ）で、ユーザインタフェース（ＵＩ）３０９への表示、ユーザインタフェース（ＵＩ）３０９からの指示入力を制御する。３０６はファンクションコントローラ（ＦＵＮＣＣ）で、各デバイス毎の特有の機能であるファンクション（ＦＵＮＣ）３１０を実現／制御する。プリンタであればプリントエンジンコントローラとプリントエンジン、スキャナであればスキャンエンジンコントローラとスキャンエンジンである。ＭＦＰであれば、デバイス３００は各機能毎のファンクションコントローラ（ＦＵＮＣＣ）３０６とファンクション（ＦＵＮＣ）３１０をそれぞれ持つ。
【００５５】
３０７はディスクコントローラ（ＤＫＣ）で、種々のアプリケーションプログラム、データファイル、そしてネットワーク管理プログラム等を記憶するハードディスク（ＨＤ）３１１及びフロッピーディスクドライブ（ＦＤ）３１２とのアクセスを制御する。３０８はネットワークモジュール（ＮＭ）で、ＬＡＮ（ローカルエリアネットワーク）３２０を介して、他のネットワーク機器或いは他のパーソナルコンピュータと双方向にデータのやり取りを行う。尚、本実施の形態においては、ＬＡＮ３２０は図１におけるネットワーク１００と同じものである。
【００５６】
尚、デバイスは種々の構成を取り得るので、図３はあくまでも一例である。
【００５７】
図４は、本実施の形態に係るデバイス情報処理装置におけるディレクトリサーバとデバイスとユーザパーソナルコンピュータ（以下、ユーザＰＣと記述する）のモデル図である。同図において、４００はＬＡＮ（ローカルエリアネットワーク）、４１０はユーザＰＣ、４２０はディレクトリサーバ、４３０はデバイスである。これらのユーザＰＣ４１０、ディレクトリサーバ４２０及びデバイス４３０は、ＬＡＮ４００に接続されている。
【００５８】
ユーザＰＣ４１０は図１におけるデスクトップ型ＰＣ１１１及びノート型ＰＣ１１３と同等である。また、ディレクトリサーバ４２０は図１におけるディレクトリサーバ１１２と同等である。また、デバイス４３０は図１におけるカラープリンタ１０１、ＭＦＰ１０２、モノクロプリンタ１０３，１０４及びスキャナ１０５と同等である。また、ＬＡＮ４００は図１におけるネットワーク１００と同等である。
【００５９】
デバイス４３０はＳＬＰサービスエージェント４３１がデバイス情報の登録要求をディレクトリサーバ４２０のＳＬＰディレクトリエージェント４２２に対してＬＡＮ４００を介して行い、ＳＬＰディレクトリエージェント４２２は前記デバイス情報をデータベース（ＤＢ）４２１へ登録する。ユーザＰＣ４１０上のアプリケーション４１２は、ＳＬＰユーザエージェント４１１を使用してディレクトリサーバ４２０上のＳＬＰディレクトリエージェント４２２に対してデータベース（ＤＢ）４２１内の情報の検索要求をＬＡＮ４００を介して行い、その検索結果を受信する。
【００６０】
図５は、本実施の形態に係るデバイス情報処理装置におけるディレクトリサーバ１１２に格納されるデバイス情報の一例を表形式で表現した図である。ディレクトリサーバ１１２において、データベース（ＤＢ）４２１の情報は、物理的にはハードディスク２１１に格納されている。
【００６１】
図５において、５００はディレクトリ登録情報であり、このディレクトリ登録情報５００において、１行がデバイス１台を表わしている。各列は、デバイス名称５０１、デバイスのネットワークアドレス５０２、デバイスのサービスタイプ５０３、デバイスの属性（１）５０４から属性（５）５０８、登録情報更新デバイスアドレス５０９を表わす。
【００６２】
図５に示されたデータについて、例えば、表の２行目に登録されているデバイスを例にとって具体的に説明すると、カラー君という名称のデバイスが、ネットワークアドレスがｓｅｒｖｉｃｅ：ｐｒｎ−ｃｌｏｒ．ｃａｎｏｎ．ｃｏ．ｊｐであり、そのデバイスはプリント機能を持っていて、属性としてｄｅｖｅｌｏｐの範囲で使用可能であり、２階に設置されており、Ａ４サイズの紙をサポートしており、オプションとしてカセットが付与されており、現在のデバイスステータスがレディ状態であり、登録情報更新デバイスがｓｅｒｖｉｃｅ：ｐｒｎ−ｃｌｏｒ．ｃａｎｏｎ．ｃｏ．ｊｐであることが分かる。
【００６３】
本実施の形態においては、図５に示された２行目から４行目までのデバイスは、それぞれ図１におけるカラープリンタ１０１、ＭＦＰ１０２及びモノクロプリンタ１０３に相当し、６行目から７行目までのデバイスは、それぞれ図１におけるモノクロプリンタ１０４及びスキャナ１０５に相当するものとする。
【００６４】
尚、図５に示した情報はあくまでも一例であって、ディレクトリサーバ１１２に格納する情報としては、更に別の付加情報があっても良い。
【００６５】
図６は、本実施の形態に係るデバイス情報処理装置におけるディレクトリサーバ４２０のＳＬＰディレクトリエージェント４２２の処理動作の流れを示すフローチャートである。これらの一連の処理の判断と実行は、ハードウェア的にはディレクトリサーバ４２０内部のＣＰＵ２０１によって行われる。
【００６６】
ディレクトリサーバ４２０が起動すると、図６において、まず、ステップＳ６０１でＳＬＰディレクトリエージェント４２２の前処理を行う。次に、ステップＳ６０２へ進んでＳＬＰディレクトリエージェント４２２、ＳＬＰサービスエージェント４３１からのパケットメッセージを受信したか否かを受信するまで判断する。
【００６７】
そして、前記ステップＳ６０２においてパケットメッセージを受信したと判断され且つそのメッセージが登録メッセージの場合は、ステップＳ６０３へ進んでデータベース４２１へデバイス情報を登録した後、ステップＳ６０８へ進む。また、前記ステップＳ６０２においてパケットメッセージを受信したと判断され且つそのメッセージが検索メッセージの場合は、ステップＳ６０４へ進んでデータベース４２１内のデバイス情報を検索した後、ステップＳ６０８へ進む。また、前記ステップＳ６０２においてパケットメッセージを受信したと判断され且つそのメッセージが更新（削除）メッセージの場合は、ステップＳ６０５へ進んで更新／削除を要求されたデバイス情報に対する更新／削除の権限（アクセス権）があるか否かを判断し、前記権限があると判断された場合は、次のステップＳ６０６へ進んで更新／削除処理を行った後、ステップＳ６０８へ進み、また、前記権限がないと判断された場合は、前記ステップＳ６０６をスキップしてステップＳ６０８へ進む。更に、前記ステップＳ６０２においてパケットメッセージを受信したと判断され且つそのメッセージが前記メッセージ以外のその他のメッセージである場合は、ステップＳ６０７へ進んでその他のメッセージに適した処理を行った後、ステップＳ６０８へ進む。
【００６８】
このステップＳ６０８では、前記各メッセージ処理の結果をメッセージの発信元へ送信し、次のステップＳ６０９でＳＬＰディレクトリエージェント４２２の外部からディレクトリサーバの停止要求がされているか（ディレクトリサーバを停止するか）否かを判断する。そして、前記ステップＳ６０９において前記ディレクトリサーバを停止しないと判断された場合は前記ステップＳ６０２へ戻り、再度受信パケットを待つ。また、前記ステップＳ６０９においてディレクトリサーバを停止すると判断された場合は、ステップＳ６１０へ進んでＳＬＰディレクトリエージェント後処理を行った後、本処理動作を終了する。
【００６９】
図７は、本実施の形態に係るデバイス情報処理装置におけるデバイス４３０のＳＬＰサービスエージェント４３１の処理動作の流れを示すフローチャートである。これらの一連の処理の判断と実行は、ハードウェア的にはデバイス４３０内部のＣＰＵ３０１によって行われる。
【００７０】
デバイス４３０のＳＬＰサービスエージェント４３１が起動すると、図７において、まず、ステップＳ７０１でＳＬＰサービスエージェント４３１の前処理を行う。次に、ステップＳ７０２へ進んでディレクトリサーバ４２０を探索する。次に、ステップＳ７０３へ進んでディレクトリサーバ４２０が見つかったか否かを判断する。そして、前記ステップＳ７０３においてディレクトリサーバ４２０が見つからないと判断された場合は前記ステップＳ７０２へ戻り、また、ディレクトリサーバ４２０が見つかったと判断された場合はステップＳ７０４へ進んでデバイス情報を登録する。このステップＳ７０４におけるデバイス情報登録処理の詳細については、図８を用いて後述する。
【００７１】
次に、ステップＳ７０５でＳＬＰサービスエージェント４３１の停止要求がされているか（ＳＬＰサービスエージェント４３１を停止するか）否かを判断する。そして、ステップＳ７０５においてＳＬＰサービスエージェント４３１を停止しないと判断された場合は前記ステップＳ７０４へ戻り、再度デバイス情報を登録する。また、前記ステップＳ７０５においてＳＬＰサービスエージェント４３１を停止すると判断された場合は、ステップＳ７０６へ進んでＳＬＰサービスエージェント後処理を行った後、本処理動作を終了する。
【００７２】
図８は、図７のステップＳ７０４におけるデバイス情報登録処理の動作の流れを示すフローチャートである。
【００７３】
まず、ステップＳ８０１でスタティック情報の登録／更新処理が可能なタイミングであるか否かを判断する。このタイミングはデバイス４３０のユーザが設定することができる。そして、前記ステップＳ８０１においてスタティック情報の登録／更新処理が可能なタイミングであると判断された場合は、次のステップＳ８０２へ進んで、後述するステップＳ８０７においてディレクトリサーバ４２０へ登録要求するデータにスタティック情報を追加した後、次のステップＳ８０３へ進む。また、前記ステップＳ８０１においてスタティック情報の登録／更新処理が不可能なタイミングであると判断された場合は、前記ステップＳ８０２をスキップしてステップＳ８０３へ進む。
【００７４】
このステップＳ８０３では、セミスタティック情報の登録／更新処理が可能なタイミングであるか否かを判断する。このタイミングはデバイス４３０のユーザが設定することができる。そして、前記ステップＳ８０３においてセミスタティック情報の登録／更新処理が可能なタイミングであると判断された場合は、次のステップＳ８０４へ進んで、後述するステップＳ８０７においてディレクトリサーバ４２０へ登録／更新要求するデータにセミスタティック情報を追加した後、次のステップＳ８０５へ進む。また、前記ステップＳ８０３においてセミスタティック情報の登録／更新処理が不可能なタイミングであると判断された場合は、前記ステップＳ８０４をスキップしてステップＳ８０５へ進む。
【００７５】
このステップＳ８０５では、ダイナミック情報の登録／更新処理が可能なタイミングであるか否かを判断する。このタイミングはデバイス４３０のユーザが設定することができる。そして、前記ステップＳ８０５においてダイナミック情報の登録／更新処理が可能なタイミングであると判断された場合は、次のステップＳ８０６へ進んで、後述するステップＳ８０７においてディレクトリサーバ４２０へ登録要求するデータにダイナミック情報を追加した後、次のステップＳ８０７へ進む。また、前記ステップＳ８０５においてダイナミック情報の登録／更新処理が不可能なタイミングであると判断された場合は、前記ステップＳ８０６をスキップしてステップＳ８０７へ進む。
【００７６】
このステップＳ８０７では、前記ステップＳ８０２、ステップＳ８０４及びステップＳ８０６においてそれぞれ要求されたデバイス情報の登録／更新を行う要求パケットを作成し、ディレクトリサーバ４２０へ送出した後、本処理動作を終了する。
【００７７】
図９は、本実施の形態に係るデバイス情報処理装置におけるユーザＰＣ４１０のＳＬＰユーザエージェント４１１の処理動作の流れを示すフローチャートである。これらの一連の処理の判断と実行は、ハードウェア的にはデバイス２００内部のＣＰＵ２０１によって行われる。
【００７８】
ユーザＰＣ４１０のＳＬＰユーザエージェント４１１が起動すると、図９において、まず、ステップＳ９０１でＳＬＰユーザエージェント４１１の前処理を行う。次に、ステップＳ９０２へ進んでディレクトリサーバ４２０を探索する。次に、ステップＳ９０３へ進んでディレクトリサーバ４２０が見つかったか否かを判断する。そして、前記ステップＳ９０３においてディレクトリサーバ４２０が見つからないと判断された場合は前記ステップＳ９０２へ戻り、また、ディレクトリサーバ４２０が見つかったと判断された場合は、次のステップＳ９０４へ進む。
【００７９】
このステップＳ９０４では、パケットメッセージを受信したか否かを判断する。そして、前記ステップＳ９０４においてパケットメッセージを受信したと判断され且つそのメッセージが検索応答メッセージの場合は、ステップＳ９０５へ進んで検索パケット受信処理を行った後、ステップＳ９０７へ進む。また、前記ステップＳ９０４においてパケットメッセージを受信したと判断され且つそのメッセージが検索応答メッセージ以外のその他のメッセージの場合は、ステップＳ９０６へ進んでその他のメッセージに適した処理を行った後、ステップＳ９０７へ進む。また、前記ステップＳ９０４においてパケットメッセージを受信しないと判断された場合は、直接ステップＳ９０７へ進む。
【００８０】
このステップＳ９０７では、アプリケーション４１２からのデバイス情報検索要求があるか否かを判断する。そして、前記ステップＳ９０７においてアプリケーション４１２からのデバイス情報検索要求があると判断された場合は、次のステップＳ９０８へ進んで検索要求パケット作成／送出処理を行った後、次のステップＳ９０９へ進む。尚、このステップＳ９０８における検索要求パケット作成／送出処理の詳細については、図１０を用いて後述する。
【００８１】
また、前記ステップＳ９０７においてアプリケーション４１２からのデバイス情報検索要求がないと判断された場合は、前記ステップＳ９０８をスキップしてステップＳ９０９へ進む。
【００８２】
このステップＳ９０９では、ＳＬＰユーザエージェント４１１の停止要求があるか（ＳＬＰユーザエージェント４１１を停止するか）否かを判断する。そして、前記ステップＳ９０９においてＳＬＰユーザエージェント４１１を停止しないと判断された場合は前記ステップＳ９０４へ戻り、また、停止すると判断された場合は次のステップＳ９１０へ進み、ＳＬＰユーザエージェント後処理を行った後、本処理動作を終了する。
【００８３】
図１０は、図９のステップＳ９０８におけるユーザＰＣ４１０の検索要求パケット作成／送出処理の動作の流れを示すフローチャートである。
【００８４】
まず、ステップＳ１００１で現在がスタティック情報の参照タイミングに該当するか否かを判断する。そして、前記ステップＳ１００１において現在がスタティック情報の参照タイミングに該当すると判断された場合は、次のステップＳ１００２へ進んで後述するステップＳ１００７においてディレクトリサーバ４２０に対して検索要求するためのパケットデータに前記スタティック情報を追加した後、次のステップＳ１００３へ進む。また、前記ステップＳ１００１において現在がスタティック情報の参照タイミングに該当しないと判断された場合は、前記ステップＳ１００２をスキップしてステップＳ１００３へ進む。
【００８５】
このステップＳ１００３では、現在がセミスタティック情報の参照タイミングに該当するか否かを判断する。そして、前記ステップＳ１００３において現在がセミスタティック情報の参照タイミングに該当すると判断された場合は、次のステップＳ１００４へ進んで後述するステップＳ１００７においてディレクトリサーバ４２０に対して検索要求するためのパケットデータに前記セミスタティック情報を追加した後、次のステップＳ１００５へ進む。また、前記ステップＳ１００３において現在がセミスタティック情報の参照タイミングに該当しないと判断された場合は、前記ステップＳ１００４をスキップしてステップＳ１００５へ進む。
【００８６】
このステップＳ１００５では、現在がダイナミック情報の参照タイミングに該当するか否かを判断する。そして、前記ステップＳ１００５において現在がダイナミック情報の参照タイミングに該当すると判断された場合は、次のステップＳ１００６へ進んで後述するステップＳ１００７においてディレクトリサーバ４２０に対して検索要求するためのパケットデータに前記ダイナミック情報を追加した後、次のステップＳ１００７へ進む。また、前記ステップＳ１００５において現在がダイナミック情報の参照タイミングに該当しないと判断された場合は、前記ステップＳ１００６をスキップしてステップＳ１００７へ進む。
【００８７】
このステップＳ１００７では、前記ステップＳ１００２、ステップＳ１００４、ステップＳ１００６においてそれぞれ追加された検索すべきデバイス情報の検索要求パケットを作成し、ディレクトリサーバ４２０へ送出した後、本処理動作を終了する。
本発明において重要なことは、図６のステップＳ６０４，６０８及び段落００８５，００８６において説明したように、セミスタティック情報及びダイナミック情報をそれぞれ異なる周期で定期的に通知することである。
【００８８】
次に、デバイス情報の登録／更新タイミング及び参照タイミングの設定方法について説明する。
【００８９】
図１１は、デバイス４３０の表示パネルにおけるデバイス情報の登録／更新タイミングの設定画面の一例を示す図である。同図において、１１００はデバイス情報の登録／更新タイミングの設定画面で、情報タイプを表示する列１１０１と登録／更新タイミングを表示する列１１０２とからなり、ユーザが登録／更新タイミングを表示パネル上またはリモート操作により変更する。
【００９０】
図１１に示す例では、スタティック情報は、電源オン時に登録される。また、セミスタティック情報は、電源オン時にディレクトリサーバ４２０へ登録され、オプションが追加された場合等に発生するデバイス構成変更時にディレクトリサーバ４２０に対して新たに登録し直される（更新される）。更に、ダイナミック情報は、電源オン時にディレクトリサーバ４２０へ登録され、その後、値が変化した時点でディレクトリサーバ４２０に対して新たに登録し直される（更新される）。
【００９１】
尚、図１１は、あくまでも一例であり、例えば、登録／更新タイミングは「５分間隔」等の周期が設定可能であっても良い。
【００９２】
図１２は、ユーザＰＣ４１０の表示画面におけるデバイス情報参照タイミングの設定画面の一例を示す図である。同図において、１２００はデバイス情報参照タイミングの設定画面で、特定のデバイスを選択してその名称を表示するデバイス名称１２０１と、情報タイプを表示する列１２０２と、参照タイミングを表示する列１２０３とからなり、ユーザが各デバイスにおけるそれぞれの情報タイプの参照タイミングを変更する。
【００９３】
図１２に示す例では、ユーザＰＣ４１０はカラー君に対してスタティック情報はユーザが指示を出した場合にディレクトリサーバ４２０へ検索要求を送出する「手動」、セミスタティック情報は５時間に１回、ダイナミック情報は１０分に１回ディレクトリサーバ４２０へ検索要求を送出する。
【００９４】
尚、図１２は、あくまでも一例であり、例えば、参照タイミングは「参照しない」等が設定可能であっても良い。
【００９５】
図１３は、記憶媒体の一例であるＣＤ−ＲＯＭのメモリマップを示す図である。同図において、９９９７はネットワークデバイス情報登録制御プログラムを記憶してある領域、９９９８はインストールプログラムを記憶してある領域、９９９９はディレクトリ情報を記憶してある領域である。
【００９６】
前記ネットワークデバイス情報登録制御プログラムがＰＣ２００にインストールされる際には、まず、インストールプログラムを記憶してある領域９９９８に記憶されているインストールプログラムがシステムにロードされ、ＣＰＵ２０１によって実行される。次に、ＣＰＵ２０１によって実行されるインストールプログラムが、ネットワークデバイス情報登録制御プログラムを記憶してある領域９９９７からネットワークデバイス情報登録制御プログラムを読み出して、ハードディスク２１１に格納する。
以上詳述したように、本実施の形態によれば、動的情報を、ダイナミックに変化する情報（ダイナミック情報）とセミスタティックな情報（セミスタティック情報）として管理することにより、動的情報を単に一纏めに一律に取得するのではなく、ダイナミック情報とセミスタティック情報とで区別して登録しておき、変更の頻度に応じた時間間隔でサーバ装置側から探索要求元へ前記情報を通知することができる。
また、発行手段が検索要求を発行するタイミングをダイナミック情報とセミスタティック情報とで異なるように設定するので、変化の激しさに応じた通知間隔を設定して、効率的なサーバ装置から検索要求元へ情報の通知を行うことができるので、ネットワーク上のトラフィック負荷を軽減することができる。
また、スタティック情報は、デバイスが電源が投入されているのに応じて通知されてくるものであり、ダイナミック情報とセミスタティック情報は、デバイスから当該情報のが変更に応じて通知されてくるものであるから、スタティック情報は、デバイスの電源投入時に確実にサーバ装置に登録され、デバイスの状態が変化した場合には、ダイナミック情報またはセミスタティック情報が通知され、従って、ネットワーク上のトラフィック負荷を軽減することができる。
更に、ダイナミック情報とセミスタティック情報とで通知のタイミングを換えることができる。
【００９７】
尚、本発明は、複数の機器（例えば、ホストコンピュータ、インタフェース機器、リーダ等）から構成されるシステム或いは統合装置に適用しても、１つの機器からなる装置に適用しても良い。
【００９８】
また、前述した実施の形態の機能を実現するソフトウェアのプログラムコード（制御プログラム）を記憶し記憶媒体を、システム或いは装置に供給し、そのシステム或いは装置のコンピュータ（ＣＰＵやＭＰＵを含む）が記憶媒体に格納されたプログラムコードを読み出し実行することによっても、本発明の目的が達成されることはいうまでもない。
【００９９】
この場合、記憶媒体から読み出されたプログラムコード自体が本発明の新規な機能を実現することになり、そのプログラムコードを記憶した記憶媒体は本発明を構成することになる。
【０１００】
また、本実施の形態に係る記録装置は、記憶媒体に格納された制御プログラムをコンピュータが読み出して実行することにより、上述した本実施の形態の機能が実現されるものであるが、本発明はこれに限定されるものではなく、前記制御プログラムの指示に基づきコンピュータ上で稼働しているＯＳ（オペレーティングシステム）等の実際の処理の一部または全部を行い、その処理によって上述した本実施の形態の機能が実現される場合も含まれることは言うまでもない。
【０１０１】
また、プログラムコードを供給するための記憶媒体としては、例えば、フロッピーディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、ＲＯＭチップ等を用いることができる。
【０１０２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によっても前述した実施の形態の機能が実現され得る。
【０１０３】
尚、本発明は、前述した実施の形態の機能を実現するソフトウェアのプログラムコードを記憶した記憶媒体から、そのプログラムをパソコン通信等の通信ラインを介して要求者に配信する場合にも適用できることはいうまでもない。
【０１０４】
【発明の効果】
以上詳述したように本発明によれば、ネットワーク上のトラフィック負荷を軽減することができるという特有の効果を奏する。
【０１０５】
また、本発明の記憶媒体によれば、上述した本発明のネットワークシステムにおけるデバイス情報処理装置を円滑に制御することができるという効果を奏する。
【図面の簡単な説明】
【図１】本発明の第１の実施の形態に係るデバイス情報処理装置（デバイス検索システム）が動作可能なネットワークシステムの構成を示す図である。
【図２】本発明の第１の実施の形態に係るデバイス情報処理装置における一般的なパーソナルコンピュータの内部構成を示すブロック図である。
【図３】本発明の第１の実施の形態に係るデバイス情報処理装置におけるデバイスの内部構成を示すブロック図である。
【図４】本発明の第１の実施の形態に係るデバイス情報処理装置におけるディレクトリサーバとデバイスとユーザＰＣのモデル図である。
【図５】本発明の第１の実施の形態に係るデバイス情報処理装置におけるディレクトリサーバが持つデバイス情報の一例を示す図である。
【図６】本発明の第１の実施の形態に係るデバイス情報処理装置におけるディレクトリサーバのＳＬＰディレクトリエージェント処理動作の流れを示すフローチャートである。
【図７】本発明の第１の実施の形態に係るデバイス情報処理装置におけるデバイス上のＳＬＰサービスエージェント処理動作の流れを示すフローチャートである。
【図８】本発明の第１の実施の形態に係るデバイス情報処理装置におけるデバイス上のＳＬＰサービスエージェントのデバイス情報登録処理ステップの処理動作の流れを示すフローチャートである。
【図９】本発明の第１の実施の形態に係るデバイス情報処理装置におけるユーザＰＣ上のＳＬＰユーザエージェント処理動作の流れを示すフローチャートである。
【図１０】本発明の第１の実施の形態に係るデバイス情報処理装置におけるユーザＰＣ上のＳＬＰユーザエージェントの検索要求パケット作成／送出処理ステップの処理動作の流れを示すフローチャートである。
【図１１】本実施の形態に係るデバイス情報処理装置におけるデバイスのデバイス情報登録／更新タイミング設定画面の一例を示す図である。
【図１２】本実施の形態に係るデバイス情報処理装置におけるユーザＰＣのデバイス情報参照タイミング設定画面の一例を示す図である。
【図１３】本実施の形態に係るデバイス情報処理装置における検索ソフトウェアの記憶媒体におけるメモリマップを示す図である。
【符号の説明】
１００    ネットワーク
１０１    カラープリンタ
１０２    ＭＦＰ（Ｍｕｌｔｉ  Ｆｕｎｃｔｉｏｎ  Ｐｅｒｉｐｈｅｒａｌ：コピー機であるが、ネットワークプリンタとしても使用可能なもの）
１０３    モノクロプリンタ
１０４    モノクロプリンタ
１０５    スキャナ
１１１    デスクトップ型のパーソナルコンピュータ（デスクトップ型ＰＣ）
１１２    ディレクトリサーバ機能を有するデスクトップ型のパーソナルコンピュータ（ディレクトリサーバＰＣ：ディレクトリサーバ）
１１３    ノート型のパーソナルコンピュータ（ノート型ＰＣ）
１２０    ファイアウォール（Ｆｉｒｅ  Ｗａｌｌ）
１３０    インターネット（Ｉｎｔｅｒｎｅｔ）
１４０    他のネットワーク
２００    ＰＣ（パーソナルコンピュータ）
２０１    ＣＰＵ（中央処理装置）
２０２    ＲＯＭ（リードオンリーメモリ）
２０３    ＲＡＭ（ランダムアクセスメモリ）
２０４    システムバス
２０５    キーボードコントローラ（ＫＢＣ）
２０６    ＣＲＴ（陰極線管）コントローラ（ＣＲＴＣ）
２０７    ディスクコントローラ（ＤＫＣ）
２０８    ネットワークインタフェースカード（ＮＩＣ）
２０９    キーボード（ＫＢ）
２１０    ＣＲＴディスプレイ（ＣＲＴ）
２１１    ＨＤ（ハードディスク）
２１２    フロッピーディスクドライブ（ＦＤ）
２２０    ＬＡＮ（ローカルエリアネットワーク）
３００    デバイス
３０１    ＣＰＵ（中央処理装置）
３０２    ＲＯＭ（リードオンリーメモリ）
３０３    ＲＡＭ（ランダムアクセスメモリ）
３０４    システムバス
３０５    ユーザインタフェースコントローラ（ＵＩＣ）
３０６    ファンクションコントローラ（ＦＵＮＣＣ）
３０７    ディスクコントローラ（ＤＫＣ）
３０８    ネットワークモジュール（ＮＭ）
３０９    ユーザインタフェース（ＵＩ）
３１０    ファンクション（ＦＵＮＣ）
３１１    ＨＤ（ハードディスク）
３１２    フロッピーディスクドライブ（ＦＤ）
４００    ＬＡＮ（ローカルエリアネットワーク）
４１０    ユーザＰＣ
４１１    ＳＬＰユーザエージェント
４１２    アプリケーション
４２０    ディレクトリサーバ
４２１    データベース（ＤＢ）
４２２    ＳＬＰディレクトリエージェント
４３０    デバイス
４３１    ＳＬＰサービスエージェント
５００    ディレクトリ登録情報（デバイス情報）
５０１    デバイス名称
５０２    デバイスのネットワークアドレス
５０３    デバイスのサービスタイプ
５０４    デバイスの属性（１）「ｓｃｏｐｅ」
５０５    デバイスの属性（２）「ｌｏｃａｔｉｏｎ」
５０６    デバイスの属性（３）「ｐａｐｅｒ  ｓｉｚｅ」
５０７    デバイスの属性（４）「ｏｐｔｉｏｎ」
５０８    デバイスの属性（５）「ｄｅｖｉｃｅ  ｓｔａｔｕｓ」
５０９    登録情報更新デバイスアドレス
【図１】
0003787465.tif 000002
【図２】
0003787465.tif 000003
【図３】
0003787465.tif 000004
【図４】
0003787465.tif 000005
【図５】
0003787465.tif 000006
【図６】
0003787465.tif 000007
【図７】
0003787465.tif 000008
【図８】
0003787465.tif 000009
【図９】
0003787465.tif 000010
【図１０】
0003787465.tif 000011
【図１１】
0003787465.tif 000012
【図１２】
0003787465.tif 000013
【図１３】
0003787465.tif 000014